(57)【要約】      （修正有）【課題】ロックリングの締まり過ぎによる課題を解決するための新規な構成のオスメスコネクタ接続機構を提供する。【解決手段】オスコネクタ１０には、ロックリング３０のメスコネクタ２０側への移動を規制するストッパー部１４と、ストッパー部１４よりもメスコネクタ２０側と反対側の位置に形成されるローレット１８と、が設けられ、ロックリング３０には、オスコネクタ１０のストッパー部１４、及び、ローレット１８と係合するローレット３８が設けられ、ロックリング３０のローレット３８が、オスコネクタ１０のストッパー部１４に当接する位置に到達する前に、ローレット１８，３８同士の噛合いが成立することでロックが完了される構成とする。【選択図】図１
2019050899.tif 000002
【特許請求の範囲】
【請求項１】
ロックリングを移動可能に備えるオスコネクタと、メスコネクタと、を有するオスメスコネクタ接続機構であって、
前記オスコネクタの接続挿入部を、前記メスコネクタの接続開口部にテーパー嵌合させた状態で、前記ロックリングを前記メスコネクタに捻じ込んで前記オスコネクタの抜けを防止するものであり、
前記オスコネクタには、
前記ロックリングの前記メスコネクタ側への移動を規制するストッパー部と、
前記ストッパー部よりも前記メスコネクタ側と反対側の位置に形成される係合部と、が設けられ、
前記ロックリングには、
前記オスコネクタの前記ストッパー部、及び、前記係合部と係合する被係合部が設けられ、
前記ロックリングの捻じ込みが進む過程において、
前記ロックリングの前記被係合部が、前記オスコネクタの前記ストッパー部に当接する当接位置に到達する前に、
係合部／被係合部同士の噛合いが成立することでロックが完了される構成とする、
オスメスコネクタ接続機構。
【請求項２】
前記ロックリングの捻じ込みが進む過程において、
係合部／被係合部同士の噛合いが開始される前記ロックリングの位置をロック開始位置とし、
前記ロック開始位置からさらに捻じ込んだときの前記ロックリングの位置をロック完了位置とし、
前記ロックリングの前記被係合部が前記ストッパー部に当接したときの前記ロックリングの位置をストッパー到達位置とし、
前記ロックリングが前記ロック開始位置から前記ロック完了位置を経て前記ストッパー到達位置に到るまでの全ての過程において、係合部／被係合部，同士の噛合いが成立する、
ことを特徴とする請求項１に記載のオスメスコネクタ接続機構。
【請求項３】
前記ロックリングの前記被係合部、及び／又は、前記オスコネクタの前記係合部は、前記ロックリングの移動方向に長い突条にて構成される、
ことを特徴とする請求項１乃至請求項２のいずれか一項に記載のオスメスコネクタ接続機構。
【請求項４】
メスコネクタに対しテーパー嵌合され、ロックリングによりメスコネクタに対するテーパー嵌合が維持される構成のオスコネクタであって、
前記ロックリングの前記メスコネクタ側への移動を規制するストッパー部と、
前記ストッパー部よりも前記メスコネクタ側と反対側の位置に形成される係合部と、が設けられ、
前記係合部は、ロックリング側に設けた被係合部に係合することとする、オスコネクタ。
【請求項５】
前記ロックリングは、前記オスコネクタに摺動可能に一体的に設けられる、
ことを特徴とする請求項４に記載のオスコネクタ。
【請求項６】
互いにテーパー嵌合されるオスコネクタとメスコネクタの抜けを防止するためのロックリングであって、
ロックリングには、オスコネクタ側に設けた係合部に係合するための被係合部が設けられる、
ことを特徴とするロックリング。
【発明の詳細な説明】
【技術分野】
【０００１】
本発明は、血液回路を構成するチューブ・部品などの接続部に用いるオスメスコネクタ接続機構に関するものであり、より詳しくは、オスメスコネクタ接続機構に用いられるロックリングの締まり過ぎを防止するとともに、締め付け強度の感覚を容易に体感させるための技術に関するものである。
【背景技術】
【０００２】
従来、例えば特許文献１に開示されるように、血液回路などの途中に使用され、回路を構成しているチューブの先端にオスコネクタを取り付け、このオスコネクタをメスコネクタなどの接続対象に接続し、その後ねじ式のロックリングで固定するためのオスメスコネクタ接続機構が知られている。
【０００３】
この特許文献１では、ロックリングの緩み防止を実現することを課題とし、オスコネクタ側のオスコネクタ側係合突起と、ロックリング側のロックリング側係合突起を係合させ、両突起の噛合わせによって抵抗を生じさせることで、締め付けたロックリングの緩みを防止する構成について開示をしている。
【先行技術文献】
【特許文献】
【０００４】
【特許文献１】特許第５０７５５３１号明細書
【発明の概要】
【発明が解決しようとする課題】
【０００５】
特許文献１に開示されるような緩み防止の機能は、空気混入防止や血液流出防止の観点からも重要な機能である。
【０００６】
他方、このようなロックリングの緩み防止の機能が求められる一方で、オスメスコネクタ接続機構において、新たな課題が存在することが見出された。
【０００７】
それは、ロックリングを締めすぎることにより、オスメスコネクタのルアーテーパー部同士が過度に強固に噛み合って、オスコネクタをメスコネクタから引き抜けなくなる（外れない）弊害である。例えば、患者の様体が急変した場合や、地震や火事などの災害発生時などの緊急時においては、コネクタ接続を至急解除する必要が生じる場合がある。他方、本弊害を恐れるために十分な締め付けを避けた場合は、容易に接続が離断する可能性がある。
【０００８】
以上のように、本発明は、以上の課題を見出し、当該課題を解決するための新規な構成のオスメスコネクタ接続機構を提案するものである。
【課題を解決するための手段】
【０００９】
本発明の解決しようとする課題は以上の如くであり、次にこの課題を解決するための手段を説明する。
【００１０】
即ち、
ロックリングを移動可能に備えるオスコネクタと、メスコネクタと、を有するオスメスコネクタ接続機構であって、
前記オスコネクタの接続挿入部を、前記メスコネクタの接続開口部にテーパー嵌合させた状態で、前記ロックリングを前記メスコネクタに捻じ込んで前記オスコネクタの抜けを防止するものであり、
前記オスコネクタには、
前記ロックリングの前記メスコネクタ側への移動を規制するストッパー部と、
前記ストッパー部よりも前記メスコネクタ側と反対側の位置に形成される係合部と、が設けられ、
前記ロックリングには、
前記オスコネクタの前記ストッパー部、及び、前記係合部と係合する被係合部が設けられ、
前記ロックリングの捻じ込みが進む過程において、
前記ロックリングの前記被係合部が、前記オスコネクタの前記ストッパー部に当接する当接位置に到達する前に、
係合部／被係合部同士の噛合いが成立することでロックが完了される構成とする、
オスメスコネクタ接続機構とする。
【００１１】
また、好ましくは、
前記ロックリングの捻じ込みが進む過程において、
係合部／被係合部同士の噛合いが開始される前記ロックリングの位置をロック開始位置とし、
前記ロック開始位置からさらに捻じ込んだときの前記ロックリングの位置をロック完了位置とし、
前記ロックリングの前記被係合部が前記ストッパー部に当接したときの前記ロックリングの位置をストッパー到達位置とし、
前記ロックリングが前記ロック開始位置から前記ロック完了位置を経て前記ストッパー到達位置に到るまでの全ての過程において、係合部／被係合部，同士の噛合いが成立する、こととする。
【００１２】
また、好ましくは、
前記ロックリングの前記被係合部、及び／又は、前記オスコネクタの前記係合部は、前記ロックリングの移動方向に長い突条にて構成される、こととする。
【００１３】
また、好ましくは、
メスコネクタに対しテーパー嵌合され、ロックリングによりメスコネクタに対するテーパー嵌合が維持される構成のオスコネクタであって、
前記ロックリングの前記メスコネクタ側への移動を規制するストッパー部と、
前記ストッパー部よりも前記メスコネクタ側と反対側の位置に形成される係合部と、が設けられ、
前記係合部は、ロックリング側に設けた被係合部に係合することとする。
【００１４】
また、好ましくは、
前記ロックリングは、前記オスコネクタに摺動可能に一体的に設けられる、こととする。
【００１５】
また、好ましくは、
互いにテーパー嵌合されるオスコネクタとメスコネクタの抜けを防止するためのロックリングであって、
ロックリングには、オスコネクタ側に設けた係合部に係合するための被係合部が設けられる、こととする。
【発明の効果】
【００１６】
本発明の効果として、以下に示すような効果を奏する。
【００１７】
即ち、本願発明の構成によれば、
ロックが開始された時点で「カチッ、カチッ」とした操作感覚を作業者に与えることができ、作業者に対しその時点でロックリングの捻じ込みを終了してよいことを伝えることができるとともに、オスコネクタとメスコネクタを至適位置に嵌合させることができ、オスコネクタとメスコネクタが外れなくなる事象の発生を防止できる。
【図面の簡単な説明】
【００１８】
【図１】オスメスコネクタ接続機構の構成部材について説明する図。
【図２】接続完了時の状態について説明する図。
【図３】図１のロックリング等の断面外略図。
【図４】（Ａ）は、ロックリングの斜視図。（Ｂ）は、ロックリングの斜視図。
【図５】（Ａ）は、ロック開始前について説明する図。（Ｂ）は、ロック開始位置について示す図。（Ｃ）は、ロック完了位置について示す図。（Ｄ）は、ストッパー到達位置について示す図。
【図６】（Ａ）はローレットの形状について説明する図。（Ｂ）はローレット同士の噛合いについて説明する図。
【図７】（Ａ）はローレットの配置例について説明する図。（Ｂ）はローレット同士の噛合いについて説明する図。
【発明を実施するための形態】
【００１９】
以下、本発明について図面を用いて具体的に説明するが、本発明は、以下に説明する具体的事例に限定されるものではない。
図１及び図２は、本願発明のコネクタ接続構造の一実施形態について示すものであり、以下の説明では、便宜のため図１において紙面左側を左側／後端、右側を右側／前端として位置関係を表すものとする。
【００２０】
図１、及び、図２に示すように、本発明のオスメスコネクタ接続機構は、オスコネクタ１０と、メスコネクタ２０と、ロックリング３０と、を有して構成される。
【００２１】
オスコネクタ１０は、筒軸部１１と、筒軸部１１の後端側に設けられ筒軸部１１よりも大径の摘み部１２と、筒軸部１１の前端側に設けられる接続挿入部１３と、を有して構成される。
【００２２】
筒軸部１１の摘み部１２側には、血液回路を構成するチューブ１が接続される。このチューブ１は摘み部１２に対し接着などにより固定されている。
【００２３】
筒軸部１１において摘み部１２と接続挿入部１３の間の位置には、筒軸部１１よりも大径にしたストッパー部１４が形成されている。このストッパー部１４と摘み部１２の間に、ロックリング３０が筒軸部１１の軸方向に移動可能に設けられる。ロックリング３０はストッパー部１４と摘み部１２に当接することで、移動がストッパー部１４と摘み部１２の間で制限され、これにより、ロックリング３０がオスコネクタ１０から脱落することが無く、ロックリング３０とオスコネクタ１０が一体的に取り扱われる。
【００２４】
各部位の構成について説明すると、筒軸部１１、掴み部１２、接続挿入部（オスルアーテーパ部）１３とストッパー部１４は一つの部材として構成されている。また、ロックリング３０の後端側から接続挿入部（オスルアーテーパ）１３を圧入してロックリング３０を筒軸部１１の部位まで移動させることで、ロックリング３０をオスコネクタ１０と一体化させた状態にする。また、掴み部１２の後端にはチューブ１が接着される。以上のようにして、ロックリング３０とオスコネクタ１０（チューブ１付き）が一体化された状態となる。
【００２５】
メスコネクタ２０は、筒軸部２１を有し、その後端側には接続開口部２３が設けられ、先端側には血液回路を構成するチューブ２が接続される。このチューブ２は筒軸部２１に対し接着などにより固定されている。筒軸部２１には、ロックリング３０の締結／解除を行う際に、メスコネクタ２０側が回転しないように指で摘むための突起部２５が形成されている。
【００２６】
メスコネクタ２０の接続開口部２３には、オスコネクタ１０の接続挿入部１３が挿入される。オスコネクタ１０の接続挿入部１３の外径は、先端に向かって小さくなるテーパー形状をなしており、メスコネクタ２０の接続開口部２３に対し、テーパー嵌合されるようになっている。
【００２７】
メスコネクタ２０の後端部の外周には、ロックリング３０の内螺子部３６と螺合させるため外螺子部２６が形成されている。オスコネクタ１０をメスコネクタ２０に嵌合させた状態とし、ロックリング３０をメスコネクタ２０側に移動して回転させることで、外螺子部２６がロックリング３０の内螺子部３６に進入しつつ、ロックリング３０がメスコネクタ２０側へと移動する。
【００２８】
以上のようにして、テーパー嵌合されたオスコネクタ１０とメスコネクタ２０がロックリング３０によって固定された状態となり、このロックリング３０によって、オスコネクタ１０とメスコネクタ２０が互いに外れてしまうことが防止される。
【００２９】
図３及び図４（Ａ）（Ｂ）に示すように、ロックリング３０は、筒状部材にて構成されており、その外周面には、回転操作をし易くするための突条部３７が設けられている。なお、この突条部３７と同様の突条部１７がオスコネクタ１０の摘み部１２にも形成されている（図１）。
【００３０】
図３及び図４（Ａ）（Ｂ）に示すように、筒状のロックリング３０の内周面において、メスコネクタ２０に近い側の前端側には内螺子部３６が形成され、この内螺子部３６にメスコネクタ２０の外螺子部２６が螺合される。
【００３１】
また、ロックリング３０の内周面において、メスコネクタ２０から遠い側となる後端側には、内側に向けて突出するローレット３８が周方向に間隔を空けて複数個所に設けられている。本実施例では、図６（Ａ）に示すように、合計８箇所に４５度の間隔でローレット３８が形設されている。
【００３２】
他方、図３に示すように、オスコネクタ１０の筒軸部１１において、ストッパー部１４よりも後ろ側の位置には、外側に向けて突出するローレット１８が周方向に間隔を空けて複数個所に設けられている。ローレット１８の間は溝部１９として構成される。本実施例において、このローレット１８は、軸方向に長い突条部にて構成される。また、図６（Ａ）に示すように、合計８箇所にローレット１８が形設されており、その配置は、３０度間隔の４つのローレット１８の配置を、軸中心を基準として点対称に配置した構成としている。
【００３３】
なお、以上に説明した図６（Ａ）（Ｂ）に示すローレット１８，３８の配置はあくまでも一例であり、このほかにも、例えば、図７（Ａ）（Ｂ）に示される配置構成としてもよい。つまり、周方向の全周にわたり、ローレット３８を設ける構成とすることや、ローレット１８，３８の個数を１：２の関係とするものである。また、例えば、突状に構成するローレット３８の軸方向の長さ３８Ｌと、突状に構成するローレット１８の軸方向の長さ１８Ｌの比率を、０．４４：１．９と設定することができる。また、ローレット１８，３８の形状は、実施例の形状に限定されるものではなく、互いにロックリング３０の回転の際に、噛合い／噛合いの解除が実施されるものであればよい。
【００３４】
以上の構成において、図３に示すように、オスコネクタ１０の接続挿入部１３をメスコネクタ２０の接続開口部２３に押し込んでテーパー嵌合を成立させた状態としロックリング３０を締め付けていくと、まずは、図５（Ａ）のようにメスコネクタ２０の外螺子部２６が内螺子部３６と進入する。
【００３５】
そして、さらに進行すると、図５（Ｂ）に示すように、ロックリング３０のローレット３８が、オスコネクタ１０のローレット１８に当接し始めるとともに、図６（Ｂ）に示すように、ローレット１８，３８同士が噛合うようになる。このようにローレット同士の噛合いが成立する状態になると、ロックリング３０の回転がいったん規制され、回り難くなるので、ロックリング３０を操作する作業者は、瞬時にロックリング３０によるロック開始位置に到達したことを認識することができる。即ち、図５（Ｂ）の状態において、ロック開始となる。
【００３６】
この段階から、さらにロックリング３０を回転させて進行させると、ロックリング３０のローレット３８は、オスコネクタ１０のローレット１８を乗り越え、また、乗り越えた後に溝部１９に入り込む。つまり、ローレット１８，３８同士の噛合い、及び、その解除を繰り返しながら、ロックリング３０による締め付けが進行される。このようなローレット１８，３８同士の噛合い、及び、その解除により、「カチッ、カチッ」とした操作感覚を作業者に与えることができる。
【００３７】
図５（Ｃ）は、ロック完了状態に到った状態を示すものである。
本実施例では、軸方向におけるローレット１８の中間位置Ａを理想的なロック完了位置として設定される。このような設定により、上述した「カチッ、カチッ」という操作感覚を複数回あった段階でロック完了とする運用、すなわち、その完了地点をオスコネクタとメスコネクタの至適位置とする運用が可能となる。
【００３８】
ここで、上述した「カチッ、カチッ」という操作感覚の「回数」を作業者に正確に把握させることは困難であり、その管理も難しい。そこで、例えば、ローレット３８の中間位置Ａを理想的なロック完了位置とすることによれば、作業者は容易、且つ、確実に作業を完了することができる。なお、ローレット３８の中間位置Ａは、例えば、ローレット３８として機能する（「カチッ、カチッ」という操作感覚が生じる）区間の範囲において、筒軸部１１の長手方向の中間の位置とすることができる。
【００３９】
また、図５（Ｂ）の位置から図５（Ｃ）の状態になるまでにおいて、ロックリング３０の回転を止めた場合であっても、ローレット１８，３８同士が噛合うことによってロックリング３０の緩みが防止されることになり、ロックリング３０の機能を果たすことができる。
【００４０】
仮に、ロックリング３０が、図５（Ｃ）の中間位置Ａを超えて、図５（Ｄ）の規制位置まで到ると、ロックリング３０のローレット３８が、オスコネクタ１０のストッパー部１４に到達する。この状態からさらにロックリング３０を回転させると、メスコネクタ２０の外螺子部２６をロックリング３０が引き寄せ、オスメスコネクタのテーパー部同士（接続挿入部１３，接続開口部２３）が過度に強固に噛み合って、オスコネクタ１０をメスコネクタ２０から引き抜けなくなることになる。
【００４１】
ただし、図５（Ｄ）のストッパー到達位置まで到るまでには、「カチッ、カチッ」とした操作感覚が何度も発生するため、このような状態が生じることを確実に防止することができる。オスコネクタ１０のローレット１８の長さをより長くすることにより、図５（Ｄ）の状態に到ることをより確実に防ぐことができる。
【００４２】
なお、以上の実施例においては、オスコネクタ１０側のローレット１８を長くする構成としたが、長さの短いローレット１８をストッパー部１４から離れた位置に配置するとともに、ロックリング３０側のローレット３８を長くする構成としてもよい。
【００４３】
以上のようにして本願発明を実施することができる。
即ち、図１乃至図５に示すように、
ロックリング３０を移動可能に備えるオスコネクタ１０と、メスコネクタ２０と、を有するオスメスコネクタ接続機構であって、
オスコネクタ１０の接続挿入部１３を、メスコネクタ２０の接続開口部２３にテーパー嵌合させた状態で、ロックリング３０をメスコネクタ２０に捻じ込んでオスコネクタ１０の抜けを防止するものであり、
オスコネクタ１０には、
ロックリング３０のメスコネクタ２０側への移動を規制するストッパー部１４と、
ストッパー部１４よりもメスコネクタ２０側と反対側の位置に形成される係合部としてのローレット１８と、が設けられ、
ロックリング３０には、
オスコネクタ１０のストッパー部１４、及び、ローレット１８と係合する被係合部としてのローレット３８が設けられ、
ロックリング３０の捻じ込みが進む過程において、
ロックリング３０のローレット３８が、オスコネクタ１０のストッパー部１４に当接する当接位置に到達する前に、
ローレット１８，３８同士の噛合いが成立することでロックが完了される構成とする、
こととするものである。
【００４４】
この構成により、ロックが開始された時点で「カチッ、カチッ」とした操作感覚を作業者に与えることができ、作業者に対しその時点でロックリングの捻じ込みを終了してよいことを伝えることができるとともに、オスコネクタとメスコネクタを至適位置に嵌合させることができ、オスコネクタとメスコネクタが外れなくなる事象の発生を防止できる。
【００４５】
また、図５（Ａ）〜（Ｄ）に示すように、
ロックリング３０の捻じ込みが進む過程において、
ローレット１８，３８同士の噛合いが開始されるロックリング３０の位置をロック開始位置とし、
ロック開始位置からさらに捻じ込んだときのロックリング３０の位置をロック完了位置とし、
ロックリング３０のローレット３８がストッパー部１４に当接したときのロックリング３０の位置をストッパー到達位置とし、
ロックリング３０がロック開始位置からロック完了位置を経てストッパー到達位置に到るまでの全ての過程において、ローレット１８，３８同士の噛合いが成立する、
こととするものである。
【００４６】
この構成により、ロック開始位置からストッパー到達位置に到るいずれの位置においてロックリング３０の捻じ込みを碇止したとしてもロックを完了することができ、作業者に対し、どれだけ捻じ込めばいいのか、といった注意を払うことを強いることなく、確実に作業を完了することができることから、作業者の負担軽減を図ることができる。また、どの作業者がやっても同様のロック状態を実現することが可能となり、緩みや締まり過ぎの問題が生じる可能性を最低限に抑えることができる。さらに、ロック解除の際に必要な回転トルク（操作力）も均一にすることができるため、例えば、ロックする作業者と、ロック解除する作業者が異なる場合においても、ロック解除する作業者は容易に解除操作を行うことができる。
【００４７】
また、ロックリング３０のローレット３８、及び／又は、オスコネクタ１０のローレット１８は、ロックリング３０の移動方向に長い突条にて構成される、
こととするものである。
【００４８】
これにより、「カチッ、カチッ」といった操作感覚を途切れることなく連続的に発生させることができる。
【００４９】
メスコネクタ２０に対しテーパー嵌合され、ロックリング３０によりメスコネクタ２０に対するテーパー嵌合が維持される構成のオスコネクタ１０であって、
ロックリング３０のメスコネクタ２０側への移動を規制するストッパー部１４と、
ストッパー部１４よりもメスコネクタ２０側と反対側の位置に形成されるローレット１８と、が設けられ、
前記ローレット１８は、ロックリング３０側に設けたローレット３８に係合することとする、ものである。
【００５０】
また、前記ロックリング３０は、オスコネクタ１０に摺動可能に一体的に設けられる、こととするものである。
【００５１】
また、互いにテーパー嵌合されるオスコネクタ１０とメスコネクタ２０の抜けを防止するためのロックリング３０であって、
ロックリング３０には、オスコネクタ１０側に設けたローレット１８に係合するためのローレット３８が設けられる、こととするものである。
【符号の説明】
【００５２】
１    チューブ
２    チューブ
１０    オスコネクタ
１１    筒軸部
１２    摘み部
１３    接続挿入部
１４    ストッパー部
１８    ローレット
１９    溝部
２０    メスコネクタ
２１    筒軸部
２３    接続開口部
２５    突起部
２６    外螺子部
３０    ロックリング
３６    内螺子部
３７    突条部
３８    ローレット
【図１】
2019050899.tif 000003
【図２】
2019050899.tif 000004
【図３】
2019050899.tif 000005
【図４】
2019050899.tif 000006
【図５】
2019050899.tif 000007
【図６】
2019050899.tif 000008
【図７】
2019050899.tif 000009
【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
ロックリングを移動可能に備えるオスコネクタと、メスコネクタと、を有するオスメスコネクタ接続機構であって、
前記オスコネクタの接続挿入部を、前記メスコネクタの接続開口部にテーパー嵌合させた状態で、前記ロックリングを前記メスコネクタに捻じ込んで前記オスコネクタの抜けを防止するものであり、
前記オスコネクタには、
前記ロックリングの前記メスコネクタ側への移動を規制するストッパー部と、
前記ストッパー部よりも前記メスコネクタ側と反対側の位置に形成される係合部と、が設けられ、
前記ロックリングには、
前記オスコネクタの前記ストッパー部、及び、前記係合部と係合する被係合部が設けられ、
前記ロックリングの捻じ込みが進む過程において、
前記ロックリングの前記被係合部が、前記オスコネクタの前記ストッパー部に当接する当接位置に到達する前に、
係合部／被係合部同士の噛合いが成立することでロックが完了される構成とするものであり、
前記ロックリングの捻じ込みが進む過程において、
係合部／被係合部同士の噛合いが開始される前記ロックリングの位置をロック開始位置とし、
前記ロック開始位置からさらに捻じ込んだときの前記ロックリングの位置をロック完了位置とし、
前記ロックリングの前記被係合部が前記ストッパー部に当接したときの前記ロックリングの位置をストッパー到達位置とし、
前記ロックリングが前記ロック開始位置から前記ロック完了位置を経て前記ストッパー到達位置に到るまでの全ての過程において、係合部／被係合部同士の噛合いが成立するものであり、
前記ロックリングの前記被係合部、及び、前記オスコネクタの前記係合部は、前記ロックリングの移動方向に長い直線状の突条にて構成され、
前記ロックリングの前記被係合部の突条、及び、突条の間の溝部における、前記ロックリングの軸芯から距離は、当該軸芯の長手方向の所定の距離において同一であり、
前記オスコネクタの前記係合部の突条、及び、突条の間の溝部における、前記オスコネクタの軸芯から距離は、当該軸芯の長手方向の所定の距離において同一である、オスメスコネクタ接続機構。
【請求項２】
前記ロックリングの前記被係合部の突条は、周方向において不均一な間隔で配置され、
前記オスコネクタの前記係合部の突条は、周方向において均一な間隔で配置される、
ことを特徴とする請求項１に記載のオスメスコネクタ接続機構。
【請求項３】
前記ロックリングの前記被係合部の突条の数は、
前記オスコネクタの前記係合部の突条の数の二倍である、
ことを特徴とする請求項１又は請求項２に記載のオスメスコネクタ接続機構。